(57)【要約】【課題】複数の試験スケジュール下で電池の充放電試験をする。【解決手段】充放電試験装置に、複数の試験スケジュールに関する情報を受け付ける受付部と、電池の充放電を行う試験実施部と、電池の状態を検出する検出部と、前記試験実施部に、前記複数の試験スケジュールの中の第一の試験スケジュール下での電池の充放電を開始させ、前記第一の試験スケジュール下での電池の充放電中に、前記検出部によって検出された電池の状態が所定の変更条件を満たすと、前記試験実施部に、前記第一の試験スケジュール下に代えて、前記複数の試験スケジュールの中の第二の試験スケジュール下で電池の充放電を行わせる変更部と、を備える。【選択図】図１
2020161386.tif 000002
【特許請求の範囲】
【請求項１】
複数の試験スケジュールに関する情報を受け付ける受付部と、
電池の充放電を行う試験実施部と、
電池の状態を検出する検出部と、
前記試験実施部に、前記複数の試験スケジュールの中の第一の試験スケジュール下での電池の充放電を開始させ、前記第一の試験スケジュール下での電池の充放電中に、前記検出部によって検出された電池の状態が所定の変更条件を満たすと、前記試験実施部に、前記第一の試験スケジュール下に代えて、前記複数の試験スケジュールの中の第二の試験スケジュール下で電池の充放電を行わせる変更部と、
を備える充放電試験装置。
【請求項２】
複数の試験スケジュールに関する情報を受け付ける受付部と、
電池の充放電を行う試験実施部と、
電池の状態を検出する検出部と、
前記試験実施部に、前記複数の試験スケジュールの中の第一の試験スケジュール下での電池の充放電を開始させ、前記第一の試験スケジュール下での電池の充放電中に、前記検出部によって検出された電池の状態が所定の停止条件を満たすと、前記試験実施部に、前記第一の試験スケジュール下での電池の充放電を停止させるとともに、
電池の充放電が停止されているときに、前記検出部によって検出された電池の状態が所定の変更条件を満たすと、前記試験実施部に、前記第一の試験スケジュール下に代えて、前記複数の試験スケジュールの中の第二の試験スケジュール下で電池の充放電を行わせる変更部と、
を備える充放電試験装置。
【請求項３】
前記受付部は、前記停止条件に関する情報を更に受け付ける、
請求項２に記載の充放電試験装置。
【請求項４】
前記受付部は、前記変更条件に関する情報を更に受け付ける、
請求項１から３の何れか一項に記載の充放電試験装置。
【請求項５】
前記第一の試験スケジュールに関する情報と、前記第一の試験スケジュール下での電池の充放電中に前記検出部によって検出された電池の状態を示す情報と、を対応付けて記憶し、
前記第二の試験スケジュールに関する情報と、前記第二の試験スケジュール下での電池の充放電中に前記検出部によって検出された電池の状態を示す情報と、を対応付けて記憶する記憶部を備える、
請求項１から４の何れか一項に記載の充放電試験装置。
【請求項６】
前記検出部によって検出される電池の状態には、電池の形状変化、電池の内部圧力及び電池の表面温度のうちの一以上が含まれる、
請求項１から５の何れか一項に記載の充放電試験装置。
【請求項７】
前記変更条件は、前記検出部によって検出された電池の状態を示す値が、第一閾値を超え、且つ、第二閾値を超えない範囲となることとする、
請求項１から６の何れか一項に記載の充放電試験装置。
【請求項８】
電池の充放電を行う試験実施部と、電池の状態を検出する検出部と、を備えた充放電試験装置を制御する制御プログラムであって、
第一の試験スケジュールに関する情報を受け付け、
前記試験実施部により、前記第一の試験スケジュール下での電池の第一充放電を行い、
前記第一充放電中に、前記検出部によって検出された電池の状態が所定の変更条件を満たすと、前記第一の試験スケジュールを第二の試験スケジュールに変更し、
前記試験実施部により、前記第二の試験スケジュール下で電池の充放電を行うように、
前記充放電試験装置を動作させる制御プログラム。
【請求項９】
電池の充放電を行う試験実施部と、電池の状態を検出する検出部と、を備えた充放電試験装置を制御する制御プログラムであって、
第一の試験スケジュールに関する情報を受け付け、
前記試験実施部により、前記第一の試験スケジュール下での電池の第一充放電を行い、
前記第一充放電中に、前記検出部によって検出された電池の状態が所定の停止条件を満たすと、前記第一充放電を停止し、
前記第一充放電の停止中に、前記検出部によって検出された電池の状態が所定の変更条件を満たすと、前記第一の試験スケジュールを第二の試験スケジュールに変更し、
前記試験実施部により、前記第二の試験スケジュール下で電池の充放電を行うように、
前記充放電試験装置を動作させる制御プログラム。
【請求項１０】
電池の充放電を行う試験実施部と、電池の状態を検出する検出部と、を備えた充放電試験装置において、
第一の試験スケジュールに関する情報を受け付け、
前記試験実施部により、前記第一の試験スケジュール下での電池の第一充放電を行い、
前記第一充放電中に、前記検出部によって検出された電池の状態が所定の変更条件を満たすと、前記第一の試験スケジュールを第二の試験スケジュールに変更し、
前記試験実施部により、前記第二の試験スケジュール下で電池の充放電を行う、
充放電試験方法。
【請求項１１】
電池の充放電を行う試験実施部と、電池の状態を検出する検出部と、を備えた充放電試験装置において、
第一の試験スケジュールに関する情報を受け付け、
前記試験実施部により、前記第一の試験スケジュール下での電池の第一充放電を行い、
前記第一充放電中に、前記検出部によって検出された電池の状態が所定の停止条件を満たすと、前記第一充放電を停止し、
前記第一充放電の停止中に、前記検出部によって検出された電池の状態が所定の変更条件を満たすと、前記第一の試験スケジュールを第二の試験スケジュールに変更し、
前記試験実施部により、前記第二の試験スケジュール下で電池の充放電を行う、
充放電試験方法。
【発明の詳細な説明】
【技術分野】
【０００１】
本発明は、電池の充放電試験を実施する充放電試験装置、制御プログラム及び充放電試験方法に関する。
【背景技術】
【０００２】
従来から、充放電中の二次電池の形状変化から、二次電池の内部短絡等に起因する内圧の上昇を検知して、二次電池が異常な状態になったことを検知する技術が知られている。
【０００３】
このような技術として、例えば特許文献１には、二次電池の内側空間内の圧力又は二次電池の容器の歪みを検出し、基準値を超える圧力又は歪みを検出した場合に、二次電池に異常が発生したと判定することが開示されている。また、当該特許文献１には、二次電池に異常が発生したと判定した場合に、警報を発生したり、二次電池の回路を遮断する又は消火器による消火を開始する等の安全動作を行うことが開示されている。
【先行技術文献】
【非特許文献】
【０００４】
【特許文献１】特開２００２−２８９２６５号公報
【発明の概要】
【発明が解決しようとする課題】
【０００５】
しかし、従来技術は、充放電中に異常が発生したときに、警報を発生する等して、充放電を停止するだけであり、複数の充放電スケジュール下で二次電池がどのような挙動を示すのかを試験するようなものではない。
【０００６】
本発明は、上記事情に鑑みてなされた発明であり、複数の充放電スケジュール下で電池の充放電試験をすることができる充放電試験装置、制御プログラム及び充放電試験方法を提供することを目的とする。
【課題を解決するための手段】
【０００７】
本発明による充放電試験装置は、複数の試験スケジュールに関する情報を受け付ける受付部と、電池の充放電を行う試験実施部と、電池の状態を検出する検出部と、前記試験実施部に、前記複数の試験スケジュールの中の第一の試験スケジュール下での電池の充放電を開始させ、前記第一の試験スケジュール下での電池の充放電中に、前記検出部によって検出された電池の状態が所定の変更条件を満たすと、前記試験実施部に、前記第一の試験スケジュール下に代えて、前記複数の試験スケジュールの中の第二の試験スケジュール下で電池の充放電を行わせる変更部と、を備える。
【０００８】
本構成では、受付部で受け付けた情報に示された複数の試験スケジュールの中の第一の試験スケジュール下での電池の充放電中に、電池の状態が所定の変更条件を満たすと、第一の試験スケジュール下に代えて、前記複数の試験スケジュールの中の第二の試験スケジュール下で電池の充放電が行われる。このため、異なる試験スケジュール下での充放電試験における電池のそれぞれでの状態変化を把握することができる。
【０００９】
また、本発明による制御プログラムは、電池の充放電を行う試験実施部と、電池の状態を検出する検出部と、を備えた充放電試験装置を制御する制御プログラムであって、第一の試験スケジュールに関する情報を受け付け、前記試験実施部により、前記第一の試験スケジュール下での電池の第一充放電を行い、前記第一充放電中に、前記検出部によって検出された電池の状態が所定の変更条件を満たすと、前記第一の試験スケジュールを第二の試験スケジュールに変更し、前記試験実施部により、前記第二の試験スケジュール下で電池の充放電を行うように、前記充放電試験装置を動作させる。
【００１０】
また、本発明による充放電試験方法は、電池の充放電を行う試験実施部と、電池の状態を検出する検出部と、を備えた充放電試験装置において、第一の試験スケジュールに関する情報を受け付け、前記試験実施部により、前記第一の試験スケジュール下での電池の第一充放電を行い、前記第一充放電中に、前記検出部によって検出された電池の状態が所定の変更条件を満たすと、前記第一の試験スケジュールを第二の試験スケジュールに変更し、前記試験実施部により、前記第二の試験スケジュール下で電池の充放電を行う。
【００１１】
これらの構成では、受け付けた情報に示された第一の試験スケジュール下での電池の充放電中に、電池の状態が所定の変更条件を満たすと、第一の試験スケジュール下に代えて、第二の試験スケジュール下で電池の充放電が行われる。このため、異なる試験スケジュール下での充放電試験における電池のそれぞれでの状態変化を把握することができる。
【００１２】
また、本発明による充放電試験装置は、複数の試験スケジュールに関する情報を受け付ける受付部と、電池の充放電を行う試験実施部と、電池の状態を検出する検出部と、前記試験実施部に、前記複数の試験スケジュールの中の第一の試験スケジュール下での電池の充放電を開始させ、前記第一の試験スケジュール下での電池の充放電中に、前記検出部によって検出された電池の状態が所定の停止条件を満たすと、前記試験実施部に、前記第一の試験スケジュール下での電池の充放電を停止させるとともに、電池の充放電が停止されているときに、前記検出部によって検出された電池の状態が所定の変更条件を満たすと、前記試験実施部に、前記第一の試験スケジュール下に代えて、前記複数の試験スケジュールの中の第二の試験スケジュール下で電池の充放電を行わせる変更部と、を備える。
【００１３】
本構成では、受付部で受け付けた情報に示された複数の試験スケジュールの中の第一の試験スケジュール下での電池の充放電中に、電池の状態が停止条件を満たすと、第一の試験スケジュール下での電池の充放電が停止される。そして、第一の試験スケジュール下での電池の充放電が停止されているときに、電池の状態が所定の変更条件を満たした場合、第一の試験スケジュール下に代えて、第二の試験スケジュール下で電池の充放電が行われる。このため、異なる試験スケジュール下での充放電試験における電池のそれぞれでの状態変化を把握することができる。
【００１４】
また、本発明による制御プログラムは、電池の充放電を行う試験実施部と、電池の状態を検出する検出部と、を備えた充放電試験装置を制御する制御プログラムであって、第一の試験スケジュールに関する情報を受け付け、前記試験実施部により、前記第一の試験スケジュール下での電池の第一充放電を行い、前記第一充放電中に、前記検出部によって検出された電池の状態が所定の停止条件を満たすと、前記第一充放電を停止し、前記第一充放電の停止中に、前記検出部によって検出された電池の状態が所定の変更条件を満たすと、前記第一の試験スケジュールを第二の試験スケジュールに変更し、前記試験実施部により、前記第二の試験スケジュール下で電池の充放電を行うように、前記充放電試験装置を動作させる。
【００１５】
また、本発明による充放電試験方法は、電池の充放電を行う試験実施部と、電池の状態を検出する検出部と、を備えた充放電試験装置において、第一の試験スケジュールに関する情報を受け付け、前記試験実施部により、前記第一の試験スケジュール下での電池の第一充放電を行い、前記第一充放電中に、前記検出部によって検出された電池の状態が所定の停止条件を満たすと、前記第一充放電を停止し、前記第一充放電の停止中に、前記検出部によって検出された電池の状態が所定の変更条件を満たすと、前記第一の試験スケジュールを第二の試験スケジュールに変更し、前記試験実施部により、前記第二の試験スケジュール下で電池の充放電を行う。
【００１６】
これらの構成では、受け付けた情報に示された第一の試験スケジュール下での電池の充放電中に、電池の状態が停止条件を満たすと、第一の試験スケジュール下での電池の充放電が停止される。そして、第一の試験スケジュール下での電池の充放電が停止されているときに、電池の状態が所定の変更条件を満たした場合、第一の試験スケジュール下に代えて、第二の試験スケジュール下で電池の充放電が行われる。このため、異なる試験スケジュール下での充放電試験における電池のそれぞれでの状態変化を把握することができる。
【００１７】
また、前記受付部は、前記停止条件に関する情報を更に受け付けてもよい。
【００１８】
本構成によれば、電池の充放電中に、電池の状態が、受付部によって受け付けられた情報によって示された停止条件を満たした場合に、第一の試験スケジュール下での電池の充放電が停止される。このため、試験者は、第一の試験スケジュール下での電池の充放電を停止する時点の電池の状態を任意に定めることができる。これにより、試験者は、第一の試験スケジュール下での電池の充放電を停止するタイミングを電池の種類等に応じて適切に定めることができる。
【００１９】
また、前記受付部は、前記変更条件に関する情報を更に受け付けてもよい。
【００２０】
本構成によれば、電池の充放電中に、電池の状態が、受付部によって受け付けられた情報によって示された変更条件を満たした場合に、電池を充放電するときの試験スケジュールが第一の試験スケジュールから第二の試験スケジュールに変更される。このため、試験者は、電池を充放電するときの試験スケジュールを第一の試験スケジュールから第二の試験スケジュールに変更する時点の電池の状態を任意に定めることができる。これにより、試験者は、電池を充放電するときの試験スケジュールを第一の試験スケジュールから第二の試験スケジュールに変更するタイミングを、電池の種類等に応じて適切に定めることができる。
【００２１】
また、前記充放電試験装置は、前記第一の試験スケジュールに関する情報と、前記第一の試験スケジュール下での電池の充放電中に前記検出部によって検出された電池の状態を示す情報と、を対応付けて記憶し、前記第二の試験スケジュールに関する情報と、前記第二の試験スケジュール下での電池の充放電中に前記検出部によって検出された電池の状態を示す情報と、を対応付けて記憶する記憶部を備えてもよい。
【００２２】
本構成によれば、記憶部によって記憶されている情報を参照することで、第一の試験スケジュール及び第二の試験スケジュールのそれぞれの下で電池の充放電が行われているときの電池の状態を把握することができる。
【００２３】
また、前記検出部によって検出される電池の状態には、電池の形状変化、電池の内部圧力及び電池の表面温度のうちの一以上が含まれることが好ましい。
【００２４】
本構成によれば、検出部によって検出された電池の形状変化、電池の内部圧力及び電池の表面温度のうちの一以上が変更条件を満たすと、電池を充放電するときの試験スケジュールが第一の試験スケジュールから第二の試験スケジュールに変更される。このため、電池の形状変化、電池の内部圧力及び電池の表面温度のうちの一以上の変化に基づくタイミングで、電池を充放電するときの試験スケジュールを第一の試験スケジュールから第二の試験スケジュールに変更することができる。
【００２５】
また、前記変更条件は、前記検出部によって検出された前記電池の状態を示す値が、第一閾値を超え、且つ、第二閾値を超えない値となることとすることが好ましい。
【００２６】
本構成によれば、検出部によって検出された電池の状態を示す値（以降、状態値）が、第一閾値を超え且つ第二閾値を超えない値となった場合に、電池を充放電するときの試験スケジュールが第一の試験スケジュールから第二の試験スケジュールに変更される。
【００２７】
例えば、電池に異常の兆候が見られるときの前記状態値を第一閾値とし、電池に異常が発生するときの前記状態値を第二閾値とし、第一の試験スケジュールよりも電池に負荷をかけない試験スケジュールを第二の試験スケジュールとして定めることができる。この場合、前記状態値が第一閾値を超えない場合は、第一の試験スケジュール下での電池の充放電が継続される。そして、前記状態値が第一閾値を超え且つ第二閾値を超えない値になると、第一の試験スケジュール下に代えて、第二の試験スケジュール下で、電池の充放電が行われる。そして、電池に異常の兆候が見られるが、電池に未だ異常が発生していないときに、例えば電池にかかる負荷が軽減された第二の試験スケジュール下で、電池の充放電を行うことができる。この場合、第一の試験スケジュール下での試験では異常の兆候が見られ、第二の試験スケジュール下では異常の兆候が見られないというようなことがわかるようになる。
【発明の効果】
【００２８】
本発明によれば、複数の充放電スケジュール下で電池の充放電試験をすることができる充放電試験装置、制御プログラム及び充放電試験方法を提供することができる。
【図面の簡単な説明】
【００２９】
【図１】充放電試験装置の概略構成の一例を示すブロック図である。
【図２】試験実行指示テーブルの一例を示す図である。
【図３】充放電試験装置の動作の一例を示すフローチャートである。
【図４】充放電試験中に記憶部に記憶される情報の一例を示す図である。
【図５】（Ａ）は、（Ｂ）に示す二次電池の充放電試験中に検出される二次電池の形状変化を示す値の一例を示すグラフであり、（Ｂ）は、二次電池の充放電試験中における電池の充放電量の一例を示すグラフである。
【図６】第二実施形態における試験実行指示テーブルの一例を示す図である。
【図７】第二実施形態における充放電試験装置の動作の一例を示すフローチャートである。
【図８】変形実施形態における充放電試験装置の動作の一例を示すフローチャートである。
【発明を実施するための形態】
【００３０】
（第一実施形態）
以下、本発明に係る充放電試験装置の一実施形態として、二次電池の充放電特性の試験を行う充放電試験装置について説明する。
【００３１】
（充放電試験装置１の構成）
図１は、充放電試験装置１の概略構成の一例を示すブロック図である。図１に示すように、充放電試験装置１は、試料槽７０と、装置本体１００と、を備えている。
【００３２】
試料槽７０は、試験対象の二次電池Ｌを収容する。具体的には、試料槽７０には、支持体７１及び検出部６０が設けられている。支持体７１は、試験対象の二次電池Ｌ（電池）を所定の圧力で拘束することで二次電池Ｌを固定する。また、試料槽７０は、不図示の開閉扉と、試料槽７０内の空気温度を調整する不図示の空調機と、を備えている。当該開閉扉及び空調機は、後述する制御部１０による制御下で動作する。
【００３３】
検出部６０は、二次電池Ｌの状態を検出する。二次電池Ｌの状態には、二次電池Ｌの形状変化、二次電池Ｌの内部圧力及び二次電池の表面温度が含まれる。具体的には、検出部６０は、形状センサー６１、ロードセル６２及び温度センサー６３を備えている。尚、検出部６０は、形状センサー６１、ロードセル６２及び温度センサー６３の全てを備えていなくてもよく、少なくともいずれか１つを備えていればよい。
【００３４】
形状センサー６１は、二次電池Ｌの形状変化を検出する。形状センサー６１は、図１の両矢印方向に、本体に対して伸縮可能な検針６１１を備えている。検針６１１は、自身の先端へ向かう方向に付勢されている。形状センサー６１は、試験対象の二次電池Ｌが支持体７１によって拘束された後、二次電池Ｌの表面に検針６１１の先端を接触させて設置される。
【００３５】
例えば、形状センサー６１による二次電池Ｌの形状変化の検出が開始された後、二次電池Ｌが充電されることによって膨らんだ場合、二次電池Ｌの表面によって検針６１１が押し上げられる。これにより、検針６１１は、二次電池Ｌが膨らんだ分だけ図１の両矢印方向における上方に移動する（縮む）。この後、二次電池Ｌの放電が開始され、二次電池Ｌが縮んだ場合、検針６１１が自身の先端へ向かう方向に付勢される。これにより、検針６１１は、二次電池Ｌが縮んだ分だけ図１の両矢印方向における下方に移動する（伸びる）。
【００３６】
このように、形状センサー６１は、二次電池Ｌの形状が変化することによって、検針６１１が二次電池Ｌの形状変化の検出を開始した時点での位置から移動した移動量を、二次電池Ｌの形状変化を示す値Ｔとして検出する。具体的には、形状センサー６１は、検針６１１が二次電池Ｌの形状変化の検出を開始した時点での位置から前記上方へ移動した移動量をプラス（正）で示す検出信号を後述の制御部１０に出力する。一方、形状センサー６１は、検針６１１が二次電池Ｌの形状変化の検出を開始した時点での位置から前記下方へ移動した移動量をマイナス（負）で示す検出信号を後述の制御部１０に出力する。
【００３７】
尚、形状センサー６１は、これに限定されず、上記とはプラスとマイナスが反対の移動量を示す検出信号を出力するものでもよい。また、形状センサー６１は、二次電池Ｌの表面までの離間距離を計測する測距センサーで構成してもよい。この場合、当該測距センサーは、前記離間距離を示す検出信号を、二次電池Ｌの形状を示す検出信号として制御部１０に出力させればよい。この場合、制御部１０では、当該測距センサーによる検出の開始時に入力された検出信号が示す離間距離から、当該測距センサーから入力された検出信号が示す離間距離を減算した結果を、二次電池Ｌの形状変化を示す値Ｔとして用いればよい。
【００３８】
ロードセル６２は、二次電池Ｌの内部圧力を検出する。ロードセル６２は、圧力の検知面が二次電池Ｌの表面と対向するようにして支持体７１に取り付けられている。ロードセル６２は、二次電池Ｌが支持体７１によって拘束され、前記検知面が二次電池Ｌの表面に接触することで、前記検知面にかかる圧力を測定する。ロードセル６２は、前記検知面にかかる圧力の測定値を、二次電池Ｌの内部圧力を示す値Ｐとして検出する。
【００３９】
例えば、試験開始後、二次電池Ｌの充電時に内部圧力が高まり、二次電池Ｌが試験開始前よりも膨らんだとする。この場合、支持体７１が二次電池Ｌを拘束する力が高まり、ロードセル６２の検知面にかかる圧力が増大する。その結果、ロードセル６２は、試験開始前よりも高い圧力の測定値を示す検出信号を、後述の制御部１０に出力する。二次電池Ｌの充電が終了した後、二次電池Ｌの放電が開始されたとする。これにより、二次電池Ｌの内部圧力が充電の終了時よりも低くなり、二次電池Ｌが充電の終了時よりも縮んだとする。この場合、支持体７１が二次電池Ｌを拘束する力が充電の終了時よりも弱まり、ロードセル６２の検知面にかかる圧力が充電の終了時よりも減少する。その結果、ロードセル６２は、充電の終了時よりも低い圧力の測定値を示す検出信号を、後述の制御部１０に出力する。
【００４０】
温度センサー６３は、二次電池Ｌの表面温度を検出する。温度センサー６３は、二次電池Ｌの表面に取り付けられ、二次電池Ｌの表面温度を測定する。温度センサー６３は、二次電池Ｌの表面温度の測定値を、二次電池Ｌの表面温度を示す値Ｚとして検出する。具体的には、温度センサー６３は、二次電池Ｌの表面温度の測定値を示す検出信号を、後述の制御部１０に出力する。
【００４１】
装置本体１００は、ＬＡＮ（Ｌｏｃａｌ  Ａｒｅａ  Ｎｅｔｗｏｒｋ）やインターネット等のネットワーク９９を介して、パソコン９０等の外部装置と通信可能に接続されている。また、装置本体１００は、試料槽７０内の二次電池Ｌと電線ＰＬを介して着脱可能に接続されている。具体的には、装置本体１００は、操作表示部２０、インターフェイス部３０、記憶部４０、電源部５０（試験実施部）及び制御部１０を備えている。
【００４２】
操作表示部２０は、液晶ディスプレイ等の表示部２１と、試験者に充放電試験装置１の操作を行わせるための操作部２２と、を備えている。操作部２２は、表示部２１に表示されたソフトキーのタッチ操作を行わせるための不図示のタッチパネル装置等を備えている。
【００４３】
インターフェイス部３０は、制御部１０が、ＬＡＮ（Ｌｏｃａｌ  Ａｒｅａ  Ｎｅｔｗｏｒｋ）やインターネット等のネットワーク９９を介してパソコン９０等の外部装置と通信するための不図示の通信インターフェイス回路を備えている。また、インターフェイス部３０は、ＵＳＢ（Ｕｎｉｖｅｒｓａｌ  Ｓｅｒｉａｌ  Ｂｕｓ）メモリー等の外部記憶装置が着脱可能な不図示のコネクター及び制御部１０が当該コネクターに装着された外部記憶装置と通信するための不図示の外部インターフェイス回路を備えている。
【００４４】
記憶部４０は、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の記憶装置によって構成されている。記憶部４０には、制御部１０が二次電池Ｌの充放電試験の制御に用いる情報等が予め記憶されている。また、記憶部４０は、制御部１０による制御下で、例えば二次電池Ｌの充放電試験中に検出された二次電池Ｌの状態を示す値等を記憶する。
【００４５】
電源部５０は、制御部１０による制御下で二次電池Ｌの充放電を行う。具体的には、電源部５０は、制御部１０から指定された条件に従って、試験電流を二次電池Ｌに入力し、又は、試験電流を二次電池Ｌから出力させる。電源部５０は、試験電流を二次電池Ｌに入力することによって、二次電池Ｌの充電を行う。一方、電源部５０は、試験電流を二次電池Ｌから出力させることによって、二次電池Ｌの放電を行う。
【００４６】
制御部１０は、所定の演算処理を実行する不図示のＣＰＵ（Ｃｅｎｔｒａｌ  Ｐｒｏｃｅｓｓｉｎｇ  Ｕｎｉｔ）、所定の制御プログラムが記憶されたＥＥＰＲＯＭ等の不図示の不揮発性メモリー、データを一時的に記憶するための不図示のＲＡＭ（Ｒａｎｄｏｍ  Ａｃｃｅｓｓ  Ｍｅｍｏｒｙ）、現在日時を計時する不図示のタイマー回路、及びこれらの周辺回路等を備えている。
【００４７】
制御部１０は、不揮発性メモリー等に記憶された制御プログラムをＣＰＵに実行させることにより、充放電試験装置１の各部の動作を制御する。具体的には、制御部１０の機能としては、受付部１１及び試験制御部１２（変更部）が含まれる。
【００４８】
受付部１１は、試験者が操作表示部２０を用いて入力した、試験の実行指示に関する情報（以降、実行指示情報）を操作表示部２０から受け取る度に、当該受け取った実行指示情報を受け付ける。また、受付部１１は、試験者がパソコン９０を用いて入力した実行指示情報をインターフェイス部３０がネットワーク９９を介して受信する度に、インターフェイス部３０から当該受信された実行指示情報を受け取り、当該受け取った実行指示情報を受け付ける。
【００４９】
具体的には、受付部１１は、操作表示部２０及びインターフェイス部３０から受け取った実行指示情報を制御部１０が備えるＲＡＭに記憶することにより、当該受け取った実行指示情報を受け付ける。尚、受付部１１は、複数の実行指示情報を同時に受け取った場合、当該受け取った複数の実行指示情報を全て前記ＲＡＭに記憶することで、当該複数の実行指示情報を同時に受け付ける。
【００５０】
実行指示情報には、二次電池Ｌの試験のスケジュール（以降、試験スケジュール）に関する試験スケジュール情報が含まれる。また、実行指示情報には、二次電池Ｌの試験スケジュールを変更するときに二次電池Ｌの状態が満たすべき条件（変更条件）を示す条件情報が含まれる。
【００５１】
試験スケジュール情報には、二次電池Ｌの充放電に関する試験条件を示す試験条件情報が含まれる。例えば、試験条件には、充放電時の時間当たりの試験電流の電流値を示すレート、二次電池Ｌの充放電を繰り返す周期（以降、充放電周期）、二次電池Ｌの充放電の試験を行う期間（以降、試験期間）、二次電池Ｌの充電から試験を開始するか、二次電池Ｌの放電から試験を開始するかを示す情報（以降、充放電順）等が含まれる。尚、これらの試験条件は、それぞれ、省略可能であり、当該省略した試験条件については、予め定められた試験条件を適用してもよい。
【００５２】
試験スケジュール情報には、試験の状態を変更する指示（以降、状態変更指示）を示す状態変更指示情報が含まれていてもよい。例えば、状態変更指示には、試験を停止する停止指示、試験を停止前と同じ試験条件下で再開する再開指示、試験を強制的に終了する強制終了指示、又は、試験を強制的に終了し且つ安全動作を行う安全動作指示等が含まれる。
【００５３】
試験スケジュール情報には、複数の試験条件の組み合わせ、複数の状態変更指示の組み合わせ、又は、一以上の試験条件と一以上の状態変更指示との組み合わせ（以降、これら三個の組み合わせを総称して試験パターンと記載する）を示す試験パターン情報が、一以上含まれていてもよい。
【００５４】
図２は、試験実行指示テーブルＴＢ１の一例を示す図である。制御部１０が備えるＲＡＭには、実行指示情報を記憶するための記憶領域として、図２に示すような試験実行指示テーブルＴＢ１が設けられている。図２は、受付部１１が三個の実行指示情報を受け付けたことにより、当該三個の実行指示情報が試験実行指示テーブルＴＢ１に記憶された例を示している。
【００５５】
受付部１１は、例えば図２の一番目のレコードに示すように、条件情報を含まず、試験スケジュール情報「Ｅ１」のみを含む実行指示情報を受け取った場合、当該実行指示情報に含まれる試験スケジュール情報「Ｅ１」のみを試験実行指示テーブルＴＢ１に記憶する。尚、試験スケジュール情報「Ｅ１」は、レート「Ｒ１」、充放電周期「Ｔｃｄ１」、試験期間「ＡＴ」及び充放電順「正順（充電・放電）」を示す試験条件情報を含んだ試験スケジュール情報であるものとする。
【００５６】
受付部１１は、例えば図２の三番目のレコードに示すように、条件情報「Ｃ２」と試験スケジュール情報「Ｅ３」との組み合わせを含む実行指示情報を受け取った場合、当該実行指示情報に含まれる条件情報「Ｃ２」と当該条件情報「Ｃ２」と組み合わされている試験スケジュール情報「Ｅ３」とを対応付けて、試験実行指示テーブルＴＢ１に記憶する。
【００５７】
尚、条件情報「Ｃ２」は、形状センサー６１が出力した検出信号が示す二次電池Ｌの形状変化を示す値Ｔが、閾値「ＴＨ２」よりも大きいこと（Ｔ＞ＴＨ２）を示しているものとする。試験スケジュール情報「Ｅ３」は、試験を強制的に終了し且つ安全動作を行う安全動作指示を示す状態変更指示情報「強制終了、安全動作」を含んだ試験スケジュール情報であるものとする。
【００５８】
図１に参照を戻す。試験制御部１２は、受付部１１が受け付けた実行指示情報に従い、二次電池Ｌの充放電の試験を行うように電源部５０を制御する。また、試験制御部１２は、二次電池Ｌの充放電の試験中に検出部６０から入力された検出信号が示す二次電池Ｌの状態を示す値（情報）を、試験条件情報に含まれる実行中の試験に関する試験条件と対応付けて記憶部４０に記憶する。試験制御部１２の詳細については後述する。
【００５９】
（充放電試験装置１の動作）
以下、充放電試験装置１の動作について説明する。当該説明の中で、試験制御部１２の詳細について説明する。図３は、充放電試験装置１の動作の一例を示すフローチャートである。
【００６０】
図３に示すように、受付部１１が一以上の実行指示情報を受け付けると（ステップＳ１）、試験制御部１２は、ステップＳ１で受け付けられた実行指示情報に含まれている試験スケジュール情報が示す試験スケジュール下で、二次電池Ｌの充放電の試験（以降、第一試験）を実施する（ステップＳ２１）。
【００６１】
ここでは、ステップＳ１において、受付部１１が三個の実行指示情報を同時に受け取り、図２に示すように、当該三個の実行指示情報を試験実行指示テーブルＴＢ１に記憶したものとして説明する。この場合、ステップＳ２１では、試験制御部１２は、試験実行指示テーブルＴＢ１（図２）において条件情報に対応付けられていない試験スケジュール情報「Ｅ１」が示す試験スケジュール下で、第一試験を実施する。
【００６２】
具体的には、試験制御部１２は、試験スケジュール情報「Ｅ１」に含まれる試験条件情報が示す試験条件（レート「Ｒ１」、充放電周期「Ｔｃｄ１」、試験期間「ＡＴ」、充放電順「正順（充電・放電）」）に従い、二次電池Ｌの充放電を電源部５０に行わせる。詳しくは、試験制御部１２は、充放電順「正順（充電・放電）」に従い、電源部５０に、充放電周期「Ｔｃｄ１」の半周期の期間「Ｔｃｄ１／２」、充放電レート「Ｒ１」の試験電流を二次電池Ｌに充電させた後、充放電周期Ｔｃｄの半周期の期間「Ｔｃｄ１／２」、充放電レート「Ｒ１」の試験電流を二次電池Ｌに放電させる処理を、試験期間「ＡＴ」が経過するまで、繰り返し行わせる。
【００６３】
ステップＳ２１において第一試験の実施を開始した後、検出部６０は二次電池Ｌの状態を定期的に検出する処理を開始する。また、試験制御部１２は、検出部６０によって検出された二次電池Ｌの状態を、記憶部４０に記憶する及び表示部２１又はパソコン９０に表示する処理を開始する（ステップＳ３１）。
【００６４】
図４は、充放電試験中に記憶部４０に記憶される情報の一例を示す図である。具体的には、ステップＳ３１において、試験制御部１２は、図４に示すように、ステップＳ２１で開始した第一試験の試験スケジュールに関する試験スケジュール情報「Ｅ１」と、第一試験中に検出部６０が二次電池Ｌの状態変化を検出した日時を示す日時情報（例えば「ｔ１０」）と、二次電池Ｌの充放電量を示す値ＣＶ（例えば「ＣＶ１０」）と、検出部６０が検出した二次電池Ｌの形状変化を示す値Ｔ（例えば「Ｔ１０」）と、二次電池Ｌの内部圧力を示す値Ｐ（例えば「Ｐ１０」）と、二次電池Ｌの表面温度を示す値Ｚ（例えば「Ｚ１０」）と、を対応付けて記憶部４０に記憶する処理を開始する。
【００６５】
図５（Ｂ）は、二次電池Ｌの充放電試験中における電池の充放電量ＣＶの一例を示すグラフである。ステップＳ３１において、試験制御部１２は、例えば図５（Ｂ）に示すように、二次電池Ｌに充電されている電流又は二次電池Ｌから放電されている電流の電流値（以降、二次電池Ｌの充放電量ＣＶ）を時系列に示すグラフ（以降、充放電量グラフ）を表示部２１に表示する。また、試験制御部１２は、当該充放電量グラフを表示する表示指示を、当該充放電量グラフの画像と共に、インターフェイス部３０を用いて、ステップＳ１で受け付けられた実行指示情報の送信元のパソコン９０（図１）に送信（返信）する。尚、パソコン９０は、充放電試験装置１から前記表示指示を示す信号と前記放電量グラフの画像とを受け取ると、当該受け取った放電量グラフの画像を、パソコン９０が備える液晶ディスプレイ等の表示装置に表示させる。
【００６６】
例えば、図５（Ｂ）に示す充放電量グラフは、充放電周期「Ｔｃｄ１」（図２）の半周期の期間（日時「ｔ１０」から日時「ｔ１１」までの期間）「Ｔｃｄ１／２」、レート「Ｒ１」で二次電池Ｌを充電した後、充放電周期「Ｔｃｄ１」（図２）の半周期の期間（日時「ｔ１１」から日時「ｔ１２」までの期間）「Ｔｃｄ１／２」、レート「Ｒ１」で二次電池Ｌに放電させた例を示している。
【００６７】
図５（Ａ）は、図５（Ｂ）に示す二次電池Ｌの充放電試験中に検出される二次電池Ｌの形状変化を示す値Ｔの一例を示すグラフである。ステップＳ３１において、試験制御部１２は、例えば図５（Ａ）に示すように、形状センサー６１が検出した二次電池Ｌの形状変化を示す値Ｔを時系列に示すグラフ（以降、形状グラフ）を表示部２１に表示する。また、試験制御部１２は、当該形状グラフを表示する表示指示を、当該形状グラフの画像と共に、インターフェイス部３０を用いて、ステップＳ１で受け付けられた実行指示情報の送信元のパソコン９０（図１）に送信（返信）する。尚、パソコン９０は、充放電試験装置１から前記表示指示を示す信号と前記形状グラフの画像とを受け取ると、当該受け取った形状グラフの画像を、パソコン９０が備える液晶ディスプレイ等の表示装置に表示させる。
【００６８】
例えば、図５（Ａ）に示すように、二次電池Ｌの形状変化を示す値Ｔは、二次電池Ｌの充電期間中、次第に増大し、二次電池Ｌの放電が開始されると次第に減少する。また、充電と放電のサイクルを繰り返す程、二次電池Ｌの形状変化を示す値Ｔのピーク値が次第に増大する。
【００６９】
ステップＳ３１において二次電池Ｌの状態を検出、記憶及び表示する処理を開始した後、試験制御部１２は、検出部６０によって検出された二次電池Ｌの状態を示す値が、ステップＳ１で受け付けられた実行指示情報に含まれる一番目の条件情報が示す変更条件（以降、第一変更条件）を満たすか否かを判定する（ステップＳ４１）。
【００７０】
具体的には、ステップＳ４１において、試験制御部１２は、試験実行指示テーブルＴＢ１（図２）に一番目に記憶された条件情報「Ｃ１」が示す第一変更条件「ＴＨ２≧Ｔ＞ＴＨ１」を参照する。尚、第一変更条件「ＴＨ２≧Ｔ＞ＴＨ１」は、形状センサー６１によって検出された二次電池Ｌの形状変化を示す値Ｔが、第一閾値ＴＨ１よりも大きく、且つ、第一閾値ＴＨ１よりも大きい第二閾値ＴＨ２以下であることを示している。そして、試験制御部１２は、形状センサー６１によって検出された二次電池Ｌの形状変化を示す値Ｔが、前記参照した第一変更条件「ＴＨ２≧Ｔ＞ＴＨ１」を満たすか否かを判定する。
【００７１】
試験制御部１２は、ステップＳ４１において、二次電池Ｌの形状変化を示す値Ｔが第一変更条件を満たさないと判定した場合（ステップＳ４１でＮＯ）、検出部６０によって検出された二次電池Ｌの状態を示す値Ｔが、ステップＳ１で受け付けられた実行指示情報に含まれる二番目の条件情報が示す条件（以降、第二変更条件）を満たすか否かを判定する（ステップＳ４２）。
【００７２】
具体的には、ステップＳ４２において、試験制御部１２は、ステップＳ４１と同様にして、試験実行指示テーブルＴＢ１（図２）に二番目に記憶された条件情報「Ｃ２」が示す第二変更条件「Ｔ＞ＴＨ２」を参照する。尚、第二変更条件「Ｔ＞ＴＨ２」は、形状センサー６１によって検出された二次電池Ｌの形状変化を示す値Ｔが、第二閾値ＴＨ２よりも大きいことを示している。そして、試験制御部１２は、形状センサー６１によって検出された二次電池Ｌの形状変化を示す値Ｔが、前記参照した第二変更条件「Ｔ＞ＴＨ２」を満たすか否かを判定する。
【００７３】
試験制御部１２は、ステップＳ４２において、二次電池Ｌの形状変化を示す値Ｔが第二変更条件を満たさないと判定した場合（ステップＳ４２でＮＯ）、試験の終了条件を満たすか否かを判定する（ステップＳ６１）。
【００７４】
具体的には、ステップＳ６１において、試験制御部１２は、ステップＳ２１で第一試験を開始してからの経過時間が、第一試験の試験スケジュールに関する試験スケジュール情報「Ｅ１」で定められた試験期間「ＡＴ」（図２）以上であるか否かを判定する。試験制御部１２は、前記経過時間が試験期間「ＡＴ」（図２）未満である場合、試験の終了条件を満たさないと判定する（ステップＳ６１でＮＯ）。一方、試験制御部１２は、前記経過時間が前記試験期間「ＡＴ」以上である場合、試験の終了条件を満たすと判定する（ステップＳ６１でＹＥＳ）。
【００７５】
また、ステップＳ６１において、試験制御部１２は、試験者によって操作表示部２０を用いて試験の終了指示が入力された場合、及び、インターフェイス部３０がパソコン９０からネットワーク９９を介して試験の終了指示を示す情報を受信した場合にも、試験の終了条件を満たすと判定する（ステップＳ６１でＹＥＳ）。
【００７６】
試験制御部１２は、ステップＳ６１において、試験の終了条件を満たすと判定した場合（ステップＳ６１でＹＥＳ）、第一試験を終了する。具体的には、試験制御部１２は、第一試験を終了する場合、電源部５０の制御を終了し、ステップＳ３１で開始した、二次電池Ｌの状態を記憶及び表示する処理を終了する。
【００７７】
一方、試験制御部１２は、ステップＳ６１において試験の終了条件を満たさないと判定した場合（ステップＳ６１でＮＯ）、ステップＳ４１以降の処理を繰り返す。これにより、試験制御部１２は、ステップＳ２１で開始した第一試験を継続する。
【００７８】
ステップＳ４１において、試験制御部１２が、二次電池Ｌの形状変化を示す値Ｔが第一変更条件を満たすと判定した場合（ステップＳ４１でＹＥＳ）、二次電池Ｌの状態が第一変更条件を満たした状態であるので、試験スケジュールを、第二の試験スケジュールに変更する旨のメッセージを表示部２１及びパソコン９０に表示する（ステップＳ５２）。
【００７９】
具体的には、ステップＳ５２において、試験制御部１２は、試験実行指示テーブルＴＢ１（図２）において第一変更条件「ＴＨ２≧Ｔ＞ＴＨ１」を示す条件情報「Ｃ１」に対応付けられている試験スケジュール情報「Ｅ２」を参照する。そして、試験制御部１２は、二次電池Ｌの状態が第一変更条件「ＴＨ２≧Ｔ＞ＴＨ１」を満たした状態であるので、試験スケジュールを、試験スケジュール情報「Ｅ２」が示す第二の試験スケジュールに変更する旨のメッセージを、ステップＳ３１と同様にして表示部２１及びパソコン９０に表示する。
【００８０】
前記メッセージは、例えば「二次電池が第一閾値ＴＨ１よりも大きく膨らみました。試験スケジュールを第二の試験スケジュール「レートＲ２、充放電周期Ｔｃｄ２、試験期間ＡＴ、逆順（放電・充電）」に変更します。」とすればよい。ただし、当該メッセージは、これに限らず、第一変更条件「ＴＨ２≧Ｔ＞ＴＨ１」と、試験スケジュール情報「Ｅ２」に含まれている情報と、を含むものであればよい。
【００８１】
ステップＳ５２の後、試験制御部１２は、第一変更条件に対応付けられた第二の試験スケジュール下で二次電池Ｌの充放電の試験（以降、第二試験）を実施する（ステップＳ２２）。
【００８２】
具体的には、ステップＳ２２では、試験制御部１２は、試験実行指示テーブルＴＢ１（図２）において、第一変更条件「ＴＨ２≧Ｔ＞ＴＨ１」を示す条件情報「Ｃ１」に対応付けられている試験スケジュール情報「Ｅ２」が示す第二の試験スケジュール下で第二試験を実施する。
【００８３】
つまり、試験制御部１２は、試験スケジュール情報「Ｅ２」に含まれる試験条件情報が示す試験条件（レート「Ｒ２」、充放電周期「Ｔｃｄ２」、試験期間「ＡＴ」、充放電順「逆順（放電・充電）」）に従い、二次電池Ｌの充放電を電源部５０に行わせる。詳しくは、試験制御部１２は、充放電順「逆順（放電・充電）」に従い、電源部５０に、充放電周期「Ｔｃｄ２」の半周期の期間「Ｔｃｄ２／２」、充放電レート「Ｒ２」の試験電流を二次電池Ｌに放電させた後、充放電周期「Ｔｃｄ２」の半周期の期間「Ｔｃｄ２／２」、充放電レート「Ｒ２」の試験電流を二次電池Ｌに充電する処理を、試験期間「ＡＴ」が経過するまで繰り返し行わせる。
【００８４】
尚、本具体例では、レート「Ｒ２」（例えば５ｍＡｈ）は、試験スケジュール情報「Ｅ１」に含まれる試験条件情報が示すレート「Ｒ１」（例えば１０ｍＡｈ）よりも小さいレート（Ｒ２＜Ｒ１）であるものとする。また、充放電周期「Ｔｃｄ２」は、試験スケジュール情報「Ｅ１」に含まれる試験条件情報が示す充放電周期「Ｔｃｄ１」よりも長時間（Ｔｃｄ２＞Ｔｃｄ１）であるものとする。また、充放電順「逆順（放電・充電）」は、試験スケジュール情報「Ｅ１」に含まれる試験条件情報が示す充放電順「正順（充電・放電）」とは反対の順番であるものとする。つまり、試験スケジュール情報「Ｅ２」が示す試験スケジュールは、試験スケジュール情報「Ｅ１」が示す試験スケジュールよりも、二次電池Ｌにかかる負荷が小さくなるような試験スケジュールであるものとする。
【００８５】
このため、第一試験中に二次電池Ｌの状態が第一変更条件を満たしたときに、第一試験よりも二次電池Ｌにかかる負荷が小さい第二の試験スケジュール下で、二次電池Ｌの放電から始まる第二試験を実施することができる。これにより、二次電池Ｌが第一閾値ＴＨ１を超える程膨らんでいるにも関わらず、第一試験を継続したために、二次電池Ｌが、爆発や破裂が生じる危険な状態になる可能性を低減できる。また、試験を停止することなく、異なる試験スケジュール下で二次電池Ｌの充放電試験を行うことができる。このため、異なる試験スケジュール下での充放電試験における二次電池Ｌのそれぞれでの状態変化を把握することができる。
【００８６】
ステップＳ２２の実行後も、試験制御部１２は、ステップＳ３１で開始した二次電池Ｌの状態を記憶及び表示する処理を継続する。例えば、図４には、ステップＳ２２の実行後、試験制御部１２によって、ステップＳ２２で開始した第二試験の試験スケジュールに関する試験スケジュール情報「Ｅ２」と、当該試験スケジュール下での二次電池Ｌの充放電中に検出部６０が二次電池Ｌの状態を検出した日時を示す日時情報「ｔ２１」と、二次電池Ｌの充放電量を示す値ＣＶ「ＣＶ２２」と、検出部６０が検出した二次電池Ｌの形状変化を示す値Ｔ「Ｔ２１」と、二次電池Ｌにかかる圧力を示す値Ｐ「Ｐ２１」と、二次電池Ｌの表面温度を示す値Ｚ「Ｚ２１」と、が対応付けて記憶部４０に記憶された例を示している。このため、記憶部４０によって記憶されている情報を参照することで、複数の試験スケジュールのそれぞれの下で、二次電池Ｌの充放電が行われているときの二次電池Ｌの状態を把握することができる。
【００８７】
例えば、記憶部４０によって記憶されている情報は、例えば図５（Ａ）に示す形状グラフとして表示部２１及びパソコン９０において参照することができる。図５（Ａ）に示す例では、日時「ｔ１０」において第一試験を開始した後、二次電池Ｌの形状変化を示す値Ｔは、第一試験における二次電池Ｌの充電期間中に次第に増大し、二次電池Ｌの放電が開始されると次第に減少することを把握できる。また、充電と放電のサイクルを繰り返す程、二次電池Ｌの形状変化を示す値Ｔのピーク値が次第に増大することを把握できる。
【００８８】
そして、第一試験における二次電池Ｌの一の充電期間が終了する日時「ｔ１４」において、二次電池Ｌの形状変化を示す値Ｔが、第一閾値ＴＨ１を超え、第一変更条件を満たすことを把握できる。これにより、試験スケジュールが、試験スケジュール情報「Ｅ２」（図２）が示す第二の試験スケジュールに変更され、第二試験が開始されたことを把握できる。第二試験では、最初の放電期間が終了する日時「ｔ２１」になると、二次電池Ｌの形状変化を示す値Ｔは、放電期間が終了しているにも関わらず、第一試験の実行が開始された日時「ｔ１０」よりも大きくなることを把握できる。
【００８９】
図３に参照を戻す。ステップＳ２２の後、試験制御部１２は、ステップＳ６１と同様にして、第二試験の終了条件を満たすか否かを判定する（ステップＳ６２）。試験制御部１２は、ステップＳ６２において、第二試験の終了条件を満たさないと判定している間（ステップＳ６２でＮＯ）、第二試験を継続し、第二試験の終了条件を満たすと判定した場合（ステップＳ６２でＹＥＳ）、第二試験を終了する。これに合わせて、試験制御部１２は、ステップＳ３１で開始した二次電池Ｌの状態を記憶及び表示する処理を終了する。
【００９０】
また、試験制御部１２は、ステップＳ４２において、二次電池Ｌの状態が第二変更条件を満たしていると判定した場合（ステップＳ４２でＹＥＳ）、二次電池Ｌの状態が第二変更条件を満たした状態であるので、ステップＳ５２と同様にして、試験スケジュールを第三の試験スケジュールに変更する旨のメッセージを表示部２１及びパソコン９０に表示する（ステップＳ５３）。
【００９１】
ステップＳ５３の後、試験制御部１２は、第二変更条件に対応付けられた第三の試験スケジュール下で二次電池Ｌの充放電の試験（以降、第三試験）を実施する（ステップＳ２３）。
【００９２】
具体的には、ステップＳ２３では、試験制御部１２は、試験実行指示テーブルＴＢ１（図２）において、第二変更条件「Ｔ＞ＴＨ２」を示す条件情報「Ｃ２」に対応付けられている試験スケジュール情報「Ｅ３」が示す第三の試験スケジュール下で第三試験を実施する。
【００９３】
ここで、試験スケジュール情報「Ｅ３」には、試験を強制的に終了し且つ安全動作を行う安全動作指示を示す状態変更指示情報「強制終了、安全動作」が含まれている。このため、試験制御部１２は、第三試験として、当該状態変更指示情報が示す安全動作指示に従い、第一試験を強制終了し、所定の安全動作を実行する。
【００９４】
詳しくは、試験制御部１２は、電源部５０による試験電流の入出力を停止させることにより、第一試験を強制終了する。そして、試験制御部１２は、所定の安全動作として、例えば、試料槽７０内の空気を所定時間冷却するように、試料槽７０に設けられた不図示の空調機を制御する。又は、試験制御部１２は、所定の安全動作として、例えば、試料槽７０に設けられた不図示の開閉扉を所定時間開閉できない状態にする。尚、安全動作は、これらに限らず、試料槽７０に収容された二次電池Ｌを安全に取り出せるようにする動作であればよい。
【００９５】
ステップＳ２３の実行後も、試験制御部１２は、ステップＳ３１で開始した二次電池Ｌの状態を記憶及び表示する処理を継続する。例えば、図４には、ステップＳ２３の実行後、試験制御部１２によって、ステップＳ２３で開始した第三試験の試験スケジュールに関する試験スケジュール情報「Ｅ３」と、第三試験中に検出部６０が二次電池Ｌの状態を検出した日時を示す日時情報「ｔ３１」と、検出部６０が検出した二次電池Ｌの形状変化を示す値Ｔ「Ｔ３１」と、二次電池Ｌにかかる圧力を示す値Ｐ「Ｐ３１」と、二次電池Ｌの表面温度を示す値Ｚ「Ｚ３１」と、が対応付けて記憶部４０に記憶された例を示している。
【００９６】
ステップＳ２３の後、試験制御部１２は、第三試験の終了条件を満たすか否かを判定する（ステップＳ６３）。具体的には、試験制御部１２が、上述の具体例のように、ステップＳ２３で、試験スケジュール情報に含まれる状態変更指示情報に従って第三試験を実施したとする。この場合、当該試験スケジュール情報に第三試験の試験期間を示す情報が含まれていない。このため、試験制御部１２は、試験者によって操作部２２を用いて試験の終了指示が入力された場合、又は、インターフェイス部３０がパソコン９０からネットワーク９９を介して試験の終了指示を示す情報を受信した場合に、試験の終了条件を満たすと判定する（ステップＳ６３でＹＥＳ）。
【００９７】
尚、試験スケジュール情報には、試験期間に代えて、試験（安全動作）を終了するための終了条件を示す終了条件情報が含まれていてもよい。例えば、当該終了条件には、安全動作の実行時間が所定時間に到達することや、二次電池Ｌの状態を示す値（例えば、二次電池Ｌの形状変化を示す値Ｔ、内部圧力を示す値Ｐ及び表面温度を示す値Ｚのうちの少なくとも一以上）が所定値になることが含まれる。これに合わせて、試験制御部１２が、ステップＳ６３において、試験スケジュール情報に終了条件情報が含まれている場合には、検出部６０によって検出された二次電池Ｌの状態を示す値（例えば、二次電池Ｌの形状変化を示す値Ｔ、内部圧力を示す値Ｐ及び表面温度を示す値Ｚのうちの少なくとも一以上）が当該終了条件情報が示す終了条件を満たすときに、第三試験（安全動作）の終了条件を満たすと判定するようにしてもよい。
【００９８】
試験制御部１２は、ステップＳ６３において、第三試験の終了条件を満たさないと判定している間（ステップＳ６３でＮＯ）、第三試験（安全動作）を継続し、第三試験（安全動作）の終了条件を満たしていると判定した場合（ステップＳ６３でＹＥＳ）、第三試験（安全動作）を終了する。これに合わせて、試験制御部１２は、ステップＳ３１で開始した、二次電池Ｌの状態を記憶及び表示する処理を終了する。
【００９９】
尚、上述した具体例とは異なり、ステップＳ２３において、上述したステップＳ２２の具体例と同様、試験スケジュール情報に含まれる試験条件情報が示す試験条件に従って、二次電池Ｌの充放電を電源部５０に行わせる第三試験が実行されたとする。この場合、ステップＳ６３では、上述したステップＳ６１及びステップＳ６２の具体例と同様にして、試験制御部１２は、第三試験の終了条件を満たすか否かを判定すればよい。
【０１００】
また、試験実行指示テーブルＴＢ１に記憶された試験スケジュール情報に試験パターン情報が一以上含まれている場合がある。この場合、ステップＳ２１、Ｓ２２、Ｓ２３において、試験制御部１２は、試験スケジュール情報に含まれる各試験パターン情報を順次参照し、当該参照した試験パターン情報が示す各試験条件及び各状態変更指示に従って試験を順次実施すればよい。具体的には、試験制御部１２は、上述したステップＳ２２の具体例と同様にして、当該参照した試験パターン情報が示す各試験条件に従って試験を実施すればよい。また、試験制御部１２は、上述したステップＳ２３の具体例と同様にして、当該参照した試験パターン情報が示す各状態変更指示に従って試験を実施すればよい。
【０１０１】
この場合、ステップＳ６１、Ｓ６２、Ｓ６３では、試験制御部１２は、最後の試験パターン情報に含まれる最後の情報を用いて、終了条件を満たすか否かを判定すればよい。具体的には、最後の試験パターン情報に含まれる最後の情報が試験条件情報であるとする。この場合、試験制御部１２は、上述したステップＳ６１、Ｓ６２の具体例と同様、当該試験条件情報が示す試験条件に従って試験が実行されてからの経過時間が、当該試験条件に含まれる試験期間以上であるか否か、又は、当該試験の終了指示が入力又は受信されたか否かによって、終了条件を満たすか否かを判定すればよい。一方、試験パターン情報に含まれる最後の情報が状態変更指示情報であるとする。この場合、試験制御部１２は、上述したステップＳ６３の具体例と同様、当該状態変更指示情報が示す状態変更指示に従って試験（安全動作）が実行された後、試験（安全動作）の終了条件を満たしたかどうか、当該試験の終了指示が入力又は受信されたか否かによって、終了条件を満たすか否かを判定すればよい。
【０１０２】
上記実施形態の構成によれば、受付部１１によって受け付けられた複数の実行指示情報のうち、条件情報が対応付られていない第一の試験スケジュール情報「Ｅ１」が示す第一の試験スケジュール下で第一試験が開始される。そして、第一試験中に、二次電池Ｌの形状変化を示す値Ｔが、条件情報「Ｃ１」が示す第一変更条件「ＴＨ２≧Ｔ＞ＴＨ１」を満たした場合に、二次電池Ｌを充放電するときの試験スケジュールが、当該条件情報「Ｃ１」に対応付けられた試験スケジュール情報「Ｅ２」が示す第二の試験スケジュールに変更される。
【０１０３】
したがって、試験者は、二次電池Ｌを充放電するときの試験スケジュールを第一の試験スケジュールから第二の試験スケジュールに変更する時点の二次電池Ｌの形状変化を示す値Ｔを任意に定め、二次電池Ｌの形状変化を示す値Ｔが当該定めた値であることを含むように、第一変更条件に含まれる第一閾値ＴＨ１及び第二閾値ＴＨ２を定めればよい。そして、試験者は、当該第一変更条件を示す条件情報と、第二の試験スケジュールを示す試験スケジュール情報「Ｅ２」との組み合わせを含む実行指示情報を入力すればよい。これにより、試験者は、二次電池Ｌを充放電するときの試験スケジュールを第一の試験スケジュールから第二の試験スケジュールに変更するタイミングを、二次電池Ｌの種類等に応じて適切に定めることができる。
【０１０４】
例えば、二次電池Ｌを充放電するときの試験スケジュールを第一の試験スケジュールから第二の試験スケジュールに変更する時点の二次電池Ｌの形状変化を示す値Ｔは、二次電池Ｌに異常の兆候が見られるときの二次電池Ｌの形状変化を示す値Ｔとすればよい。そして、二次電池Ｌに異常の兆候が見られるときの二次電池Ｌの形状変化を示す値Ｔの下限値を第一閾値ＴＨ１とし、二次電池Ｌに異常が発生するときの二次電池Ｌの形状変化を示す値Ｔの下限値を第二閾値ＴＨ２に定めればよい。
【０１０５】
この場合、形状センサー６１によって検出された二次電池Ｌの形状変化を示す値Ｔが第一閾値ＴＨ１を超えないときは、第一の試験スケジュール下での二次電池Ｌの充放電を継続することができる。そして、検出された形状変化を示す値Ｔが第一閾値ＴＨ１を超え且つ第二閾値ＴＨ２を超えない値になり、二次電池Ｌに異常の兆候が見られるが、異常は発生していない状況になったとする。この場合、二次電池Ｌは未だ充電時と放電時とで可逆的に変化する状態であると考えられるので、第一の試験スケジュール下に代えて、第二の試験スケジュール下で、二次電池Ｌの充放電を行うことができる。
【０１０６】
また、上述の具体例のように、試験スケジュール情報「Ｅ２」が示す第二の試験スケジュールを、試験スケジュール情報「Ｅ１」が示す第一の試験スケジュールよりも、二次電池Ｌにかかる負荷が小さくなるような試験スケジュールに定めたとする。この場合、二次電池Ｌに異常の兆候が見られるようになると、二次電池Ｌにかかる負荷が軽減された第二の試験スケジュール下で、二次電池Ｌの充放電を行うことができる。この場合、第一の試験スケジュール下での試験では異常の兆候が見られ、第二の試験スケジュール下では異常の兆候が見られないというようなことがわかるようになる。
【０１０７】
（第二実施形態）
次に、本発明に係る充放電試験装置の第二実施形態について説明する。
【０１０８】
第二実施形態では、試験制御部１２は、第一の試験スケジュール下での二次電池Ｌの第一充放電を行い、当該第一充放電中に、検出部６０によって検出された二次電池Ｌの状態が所定の停止条件を満たすと、前記第一充放電を停止する。そして、試験制御部１２は、前記第一充放電の停止中に、検出部６０によって検出された二次電池Ｌの状態が所定の再開条件（変更条件）を満たすと、第一の試験スケジュールを第二の試験スケジュールに変更する。
【０１０９】
以下、第二実施形態における充放電試験装置１の動作について図６及び図７を用いて説明する。図６は、第二実施形態における試験実行指示テーブルＴＢ１の一例を示す図である。図７は、第二実施形態における充放電試験装置１の動作の一例を示すフローチャートである。尚、図７に記載のステップのうち、図３と同じ符号のステップは、図３で説明したステップと同様の処理であるため、説明を省略する。
【０１１０】
また、以降の説明では、図７に示すステップＳ１において、受付部１１が三個の実行指示情報を同時に受け付け、図６に示すように、これら三個の実行指示情報を試験実行指示テーブルＴＢ１に記憶するものとする。具体的には、受付部１１は、図７に示すステップＳ１において、条件情報を含まず、図２に示したものと同じ試験スケジュール情報「Ｅ１」のみを含む実行指示情報を受け付けたものとする。この場合、受付部１１は、例えば図６の一番目のレコードに示すように、当該実行指示情報に含まれる試験スケジュール情報「Ｅ１」のみを試験実行指示テーブルＴＢ１に記憶する。
【０１１１】
また、受付部１１は、ステップＳ１において、二次電池Ｌの試験スケジュールを変更する前に試験を停止させるときに、二次電池Ｌの状態が満たすべき停止条件を示す停止条件情報「ＳＴ」と、前記停止指示を示す状態変更指示情報「停止」を含む試験スケジュール情報「ＥＳＴ」と、の組み合わせを含む実行指示情報を受け取ったものとする。この場合、受付部１１は、例えば図６の二番目のレコードに示すように、当該実行指示情報に含まれる停止条件情報「ＳＴ」と、当該停止条件情報「ＳＴ」と組み合わされている試験スケジュール情報「ＥＳＴ」と、を対応付けて、試験実行指示テーブルＴＢ１に記憶する。尚、停止条件情報「ＳＴ」は、図６の二番目のレコードに示すように、形状センサー６１によって検出された二次電池Ｌの形状変化を示す値Ｔが、上述の第二閾値ＴＨ２より大きいこと「Ｔ＞ＴＨ２」を示しているものとする。
【０１１２】
また、受付部１１は、ステップＳ１において、試験の停止後、試験を再開するときに、二次電池Ｌの状態が満たすべき再開条件を示す再開条件情報と、二次電池Ｌの状態が当該再開条件を満たしたときに再開する試験の試験スケジュール（以降、再開試験スケジュール）に関する試験スケジュール情報と、の組み合わせを含む実行指示情報を受け取ったものとする。ここで、再開条件情報は、「ＴＨ２≧Ｔ」であるものとする。また、再開条件情報と組み合わされている試験スケジュール情報は、図２に示した試験スケジュール情報「Ｅ２」と同じ情報であるものとする。この場合、受付部１１は、例えば図６の三番目のレコードに示すように、実行指示情報に含まれる再開条件情報「Ｃ３」と当該再開条件情報「Ｃ３」と組み合わされている試験スケジュール情報「Ｅ２」とを対応付けて、試験実行指示テーブルＴＢ１に記憶する。
【０１１３】
この場合、試験制御部１２は、ステップＳ３１の後、ステップＳ４１（図３）と同様にして、検出部６０によって検出された二次電池Ｌの状態が、ステップＳ１で受け付けられた実行指示情報に含まれる停止条件情報「ＳＴ」が示す停止条件を満たすか否かを判定する（ステップＳ４ａ）。
【０１１４】
試験制御部１２は、ステップＳ４ａにおいて停止条件を満たすと判定した場合（ステップＳ４ａでＹＥＳ）、二次電池Ｌの状態が停止条件を満たした状態であるので、ステップＳ５２（図３）と同様にして、二次電池Ｌの充放電の試験を停止する旨のメッセージを表示部２１及びパソコン９０に表示する（ステップＳ５ａ）。尚、当該メッセージは、例えば「二次電池が第二閾値ＴＨ２よりも大きく膨らみました。このため、実行中の試験を停止します。」とすればよい。ただし、当該メッセージは、これに限らず、二次電池Ｌの形状Ｔが停止条件「Ｔ＞ＴＨ２」を満たし、実行中の試験を停止する旨のメッセージが含まれていればよい。
【０１１５】
ステップＳ５ａの後、試験制御部１２は、停止条件情報「ＳＴ」に対応付けられた試験スケジュール情報「ＥＳＴ」に含まれている状態変更指示情報が示す停止指示に従い、ステップＳ２１で開始した第一試験を停止する（ステップＳ２ａ）。具体的には、ステップＳ２ａにおいて、試験制御部１２は、電源部５０による試験電流の入出力を停止させる。
【０１１６】
ステップＳ２ａの後、試験制御部１２は、ステップＳ４１（図３）と同様にして、検出部６０によって検出された二次電池Ｌの状態が、ステップＳ１で受け付けられた実行指示情報に含まれる再開条件情報が示す再開条件を満たすか否かを判定する（ステップＳ４ｂ）。
【０１１７】
試験制御部１２は、ステップＳ４ｂにおいて再開条件を満たさないと判定した場合（ステップＳ４ｂでＮＯ）、ステップＳ６３（図３）と同様にして、試験の終了条件を満たすか否かを判定する（ステップＳ６ａ）。また、試験制御部１２は、ステップＳ４ａにおいて停止条件を満たさないと判定した場合も（ステップＳ４ａでＮＯ）、ステップＳ６３（図３）と同様にして、試験の終了条件を満たすか否かを判定する（ステップＳ６ａ）。
【０１１８】
試験制御部１２は、ステップＳ６ａにおいて、試験の終了条件を満たすと判定した場合（ステップＳ６ａでＹＥＳ）、第一試験を終了する。具体的には、試験制御部１２は、電源部５０の制御を終了し、ステップＳ３１で開始した、二次電池Ｌの状態を記憶及び表示する処理を終了する。
【０１１９】
一方、試験制御部１２は、ステップＳ６ａにおいて試験の終了条件を満たさないと判定した場合（ステップＳ６ａでＮＯ）、ステップＳ４ａ以降の処理を繰り返す。これにより、ステップＳ２１で開始された第一試験の実行又は停止を継続する。
【０１２０】
ステップＳ４ｂにおいて、試験制御部１２は、再開条件を満たすと判定した場合（ステップＳ４ｂでＹＥＳ）、二次電池Ｌの状態が再開条件を満たした状態であるので、ステップＳ５２（図３）と同様にして、試験スケジュールを、再開条件に対応付けられた第二の試験スケジュールに変更する旨のメッセージを表示部２１及びパソコン９０に表示する（ステップＳ５ｂ）。尚、ここでの第二の試験スケジュールは、試験実行指示テーブルＴＢ１（図６）において再開条件情報「Ｃ３」に対応付けられている試験スケジュール情報「Ｅ２」が示す試験スケジュールである。ステップＳ５ｂの後、試験制御部１２は、ステップＳ２２（図３）と同様にして、第二の試験スケジュール下で二次電池Ｌの充放電の試験（以降、第二試験）を実施する（ステップＳ２ｂ）。
【０１２１】
ステップＳ２ｂの後、試験制御部１２は、ステップＳ６３（図３）と同様にして、第二試験の終了条件を満たすか否かを判定する（ステップＳ６ｂ）。そして、試験制御部１２は、ステップＳ６ｂにおいて、第二試験の終了条件を満たしていないと判定している間（ステップＳ６ｂでＮＯ）、第２試験を継続し、第二試験の終了条件を満たすと判定した場合（ステップＳ６ｂでＹＥＳ）、第二試験を終了する。これに合わせて、試験制御部１２は、ステップＳ３１で開始した二次電池Ｌの状態を記憶及び表示する処理を終了する。
【０１２２】
第二実施形態の構成では、第一試験中に、二次電池Ｌの形状変化を示す値Ｔが停止条件「Ｔ＞ＴＨ２」を満たすと、第一試験が停止される。そして、第一試験が停止されているときに、二次電池Ｌの形状変化を示す値Ｔが再開条件「ＴＨ２≧Ｔ」を満たした場合、当該再開条件を示す再開条件情報「Ｃ３」に対応付けられた試験スケジュール情報「Ｅ２」が示す試験スケジュール下で、二次電池Ｌの充放電が行われる。
【０１２３】
このため、試験者は、第一の試験スケジュール下での二次電池Ｌの充放電を停止する時点の二次電池Ｌの形状変化を示す値Ｔを任意に定めればよい。そして、試験者は、二次電池Ｌの形状変化を示す値Ｔが当該定めた値であることを含むように、停止条件に含まれる第二閾値ＴＨ２を定めればよい。これにより、試験者は、第一の試験スケジュール下での二次電池Ｌの充放電を停止するタイミングを二次電池Ｌの種類等に応じて適切に定めることができる。
【０１２４】
また、試験者は、二次電池Ｌの充放電を停止後、二次電池Ｌの充放電を再開する時点の二次電池Ｌの形状変化を示す値Ｔを任意に定めればよい。そして、試験者は、二次電池Ｌの形状変化を示す値Ｔが当該定めた値であることを含むように、再開条件の閾値を定めればよい。これにより、試験者は、二次電池Ｌの充放電を再開するタイミングを二次電池Ｌの種類等に応じて適切に定めることができる。
【０１２５】
例えば、第一の試験スケジュール下での二次電池Ｌの充放電を停止する時点の二次電池Ｌの形状変化を示す値Ｔを、二次電池Ｌに異常が発生するときの二次電池Ｌの形状変化を示す値Ｔとすればよい。また、二次電池Ｌの充放電を再開する時点の二次電池Ｌの形状変化を示す値Ｔを、二次電池Ｌに異常の兆候が見られるときの二次電池Ｌの形状変化を示す値Ｔ又は異常の兆候が見られないときの二次電池Ｌの形状変化を示す値Ｔとすればよい。そして、二次電池Ｌに異常が発生するときの二次電池Ｌの形状変化を示す値Ｔの下限値を第二閾値ＴＨ２に定めればよい。
【０１２６】
また、上述の具体例のように、試験スケジュール情報「Ｅ２」が示す第二の試験スケジュールを、試験スケジュール情報「Ｅ１」が示す第一の試験スケジュールよりも、二次電池Ｌにかかる負荷が小さくなるような試験スケジュールに定めればよい。
【０１２７】
この場合、形状センサー６１によって検出された二次電池Ｌの形状変化を示す値Ｔが第二閾値ＴＨ２を超え、二次電池Ｌに異常が発生したときに、第一の試験スケジュール下での二次電池Ｌの充放電を停止することができる。その後、形状センサー６１によって検出された二次電池Ｌの形状変化を示す値Ｔが第二閾値ＴＨ２以下になり、二次電池Ｌの状態が異常の兆候が見られる程度又は異常の兆候が見られない程度にまで復元したとする。この場合、二次電池Ｌの形状が充電時と放電時とで可逆的に変化する状態になったと考えられるので、第一の試験スケジュールに代えて、第一の試験スケジュールよりも二次電池Ｌにかかる負荷が軽減された第二の試験スケジュール下で、二次電池Ｌの充放電を行うことができる。その結果、異なる試験スケジュール下での充放電試験による二次電池Ｌのそれぞれでの状態変化を把握することができる。
【０１２８】
尚、再開条件は、上述した例に限らず、例えば、形状センサー６１によって検出された二次電池Ｌの形状変化を示す値Ｔが第二閾値ＴＨ２以下であり（例えば「ＴＨ２≧Ｔ」）、且つ、試験の停止からユーザが指定した時間以上待機することを示すものであってもよい。また、再開条件は、例えば、形状センサー６１によって検出された二次電池Ｌの形状変化を示す値Ｔが第二閾値ＴＨ２よりも予め定められた値（例えば、Ｄ１）だけ小さい値（例えばＴＨ２−Ｄ１）以下であること（例えばＴＨ２−Ｄ１≧Ｔ）を示すものであってもよい。
【０１２９】
（変形実施形態）
尚、上記実施形態は、本発明に係る実施形態の例示に過ぎず、本発明を上記実施形態に限定する趣旨ではない。例えば、以下に示す変形実施形態であってもよい。
【０１３０】
（１）上記第一実施形態では、ステップＳ４１（図３）において、形状センサー６１によって検出された二次電池Ｌの形状変化を示す値Ｔが第一変更条件を満たし、ステップＳ２２（図３）において第二試験を実施した後は、形状センサー６１によって検出された二次電池Ｌの形状変化を示す値Ｔが第二変更条件を満たすか否かを判定しない例について説明した。
【０１３１】
しかし、これに限らず、ステップＳ２２（図３）において第二試験を実施した後、第二試験中に、試験制御部１２が、更に、ステップＳ４２（図３）と同様、形状センサー６１によって検出された二次電池Ｌの形状変化を示す値Ｔが第二変更条件を満たすか否かを判定するようにしてもよい。そして、試験制御部１２が、当該判定において、形状センサー６１によって検出された二次電池Ｌの形状変化を示す値Ｔが、第二変更条件を満たすと判定した場合にステップＳ５３（図３）を実行し、第二変更条件を満たさないと判定した場合にステップＳ６２（図３）を実行するようにしてもよい。
【０１３２】
（２）上記第一実施形態における第一変更条件と第二変更条件及び上記第二実施形態における再開条件は、上述した条件「ＴＨ２≧Ｔ＞ＴＨ１」、「Ｔ＞ＴＨ２」及び「ＴＨ２≧Ｔ」に限らない。例えば、形状センサー６１によって検出された二次電池Ｌの形状変化を示す値Ｔが第一閾値ＴＨ１を超えること（例えば「Ｔ＞ＴＨ１」）だけを示すものであってもよい。
【０１３３】
尚、第一閾値ＴＨ１として、二次電池Ｌに異常の兆候が見られるときの形状センサー６１によって検出された二次電池Ｌの形状変化を示す値Ｔの下限値を設定する例について上述したが、第一閾値ＴＨ１をこれとは異なる値に設定してもよい。例えば、二次電池Ｌの試験開始後、形状センサー６１によって二次電池Ｌの形状変化を示す値Ｔが検出される度に当該値Ｔの最小値を随時更新するようにし、当該更新後の最小値を第一閾値ＴＨ１とするようにしてもよい。
【０１３４】
（３）上記各実施形態では、形状センサー６１によって検出された二次電池Ｌの形状変化を示す値Ｔの所謂瞬時値が、第一変更条件、第二変更条件、停止条件及び再開条件等の所定条件を満たすか否かを判定する例について説明した。この場合、形状センサー６１によって検出された二次電池Ｌの形状変化を示す値Ｔの所謂瞬時値が、第一変更条件、第二変更条件、停止条件及び再開条件等の所定条件を満たす場合に、迅速に試験スケジュールを変更することができる。
【０１３５】
しかし、これに代えて、形状センサー６１によって検出された二次電池Ｌの形状変化を示す値Ｔ（瞬時値）が、第一変更条件、第二変更条件、停止条件及び再開条件等の所定条件を連続して所定回数以上満たすか否かを判定するようにしてもよい。又は、形状センサー６１によって検出された二次電池Ｌの形状変化を示す値Ｔ（瞬時値）が、第一変更条件、第二変更条件、停止条件及び再開条件等の所定条件を所定時間連続して満たすか否かを判定するようにしてもよい。
【０１３６】
この場合、形状センサー６１が二次電池Ｌの形状変化を誤って検知した場合に試験スケジュールが変更されること（ノイズ）を防ぐことができる。又は、形状センサー６１が誤って二次電池Ｌの形状変化を検知した場合に試験スケジュールが変更されることの防止を目的として、形状センサー６１によって検出された二次電池Ｌの形状変化を示す値Ｔの移動平均値が、第一変更条件、第二変更条件、停止条件及び再開条件等の条件を満たすか否かを判定するようにしてもよい。
【０１３７】
（４）上記各実施形態では、ステップＳ１（図３、図７）において、受付部１１が、第一試験の試験スケジュールに関する試験スケジュール情報を含む実行指示情報と、条件情報（停止条件情報、再開条件情報）と試験スケジュール情報との組み合わせを含む二個の実行指示情報と、を同時に受け付け、二次電池Ｌの状態が条件情報（停止条件情報、再開条件情報）が示す条件を満たした場合に自動的に試験スケジュールを変更する例について説明した。
【０１３８】
しかし、これに限らず、受付部１１が、先ず、第一試験の試験スケジュールに関する試験スケジュール情報と条件情報とを受け付けて第一試験を開始するようにしてもよい。その後、第一試験中に、二次電池Ｌの状態が条件情報が示す条件を満たしたときに、変更する試験スケジュール（以降、変更スケジュール）に関する試験スケジュール情報（以降、変更スケジュール情報）を受け付けるようにしてもよい。この場合、試験者が、第一試験中の二次電池Ｌの状態に応じて、変更スケジュールを適切に定めることができる。
【０１３９】
図８は、変形実施形態における充放電試験装置１の動作の一例を示すフローチャートである。尚、図８に記載のステップのうち、図３と同じ符号のステップは、図３で説明したステップと同様の処理であるため、説明を省略する。具体的には、図８に示すように、ステップＳ１ｘでは、受付部１１が、操作表示部２０又はパソコン９０から試験者が入力した第一試験の試験スケジュールに関する試験スケジュール情報と試験スケジュールを変更するための条件を示す条件情報と、を制御部１０が備えるＲＡＭに記憶することで、当該試験スケジュール情報及び条件情報を受け付ける（ステップＳ１ｘ）。
【０１４０】
そして、ステップＳ２１ｘでは、試験制御部１２は、前記ＲＡＭに記憶された試験スケジュール情報を参照し、ステップＳ２１（図３）と同様に、当該参照した試験スケジュール情報が示す試験スケジュールに従い第一試験を実施する（ステップＳ２１ｘ）。第一試験においては、ステップＳ３１がなされる（ステップＳ３１）。
【０１４１】
ステップＳ３１の後、試験制御部１２は、ステップＳ４１（図３）と同様にして、二次電池Ｌの状態が前記ＲＡＭに記憶されている条件情報が示す条件を満たすか否かを判定する（ステップＳ４ｘ）。
【０１４２】
試験制御部１２は、ステップＳ４ｘにおいて、条件を満たすと判定した場合（ステップＳ４ｘでＹＥＳ）、変更スケジュール情報の入力を促す画面を、操作表示部２０及びパソコン９０に表示する（ステップＳ８）。これにより、試験者は、表示部２１又はパソコン９０に表示された第一試験中の二次電池Ｌの状態の変化に応じて、適切な変更スケジュールに関する変更スケジュール情報を入力することができる。
【０１４３】
ステップＳ８の後、受付部１１は、試験者が操作表示部２０又はパソコン９０から入力した変更スケジュール情報を前記ＲＡＭに記憶することで、当該変更スケジュール情報を受け付ける（ステップＳ９）。
【０１４４】
ステップＳ９において変更スケジュール情報が受け付けられると、試験制御部１２は、ステップＳ５２（図３）と同様にして、試験スケジュールを、前記変更スケジュールに変更する旨のメッセージを表示部２１及びパソコン９０に表示する（ステップＳ５ｘ）。その後、試験制御部１２は、ステップＳ２２（図３）と同様にして、前記ＲＡＭに記憶されている変更スケジュール情報が示す変更スケジュール下で、二次電池Ｌの充放電の試験（以降、変更試験）を実施する（ステップＳ２ｘ）。
【０１４５】
一方、ステップＳ４ｘにおいて、二次電池Ｌの状態が前記ＲＡＭに記憶されている条件情報が示す条件を満たさないと判定された場合（ステップＳ４ｘでＮＯ）、及びステップＳ２ｘが実行された場合（ステップＳ２ｘ）には、試験制御部１２は、試験の終了条件を満たすか否かを判定する（ステップＳ６ｘ）。
【０１４６】
具体的には、ステップＳ６ｘにおいて、試験制御部１２は、現在の試験スケジュールに関する試験スケジュール情報において試験期間が定められている場合は、第一実施形態で説明したステップＳ６１（図３）の具体例と同様にして、試験の終了条件を満たすか否かを判定する。一方、試験制御部１２は、現在の試験スケジュールに関する試験スケジュール情報において試験期間が定められていない場合は、第一実施形態で説明したステップＳ６３（図３）の具体例と同様にして、試験の終了条件を満たすか否かを判定する。
【０１４７】
試験制御部１２は、ステップＳ６ｘにおいて、試験の終了条件を満たすと判定した場合（ステップＳ６ｘでＹＥＳ）、試験を終了する。具体的には、試験制御部１２は、電源部５０の制御を終了し、ステップＳ３１で開始した、二次電池Ｌの状態を記憶及び表示する処理を終了する。一方、試験制御部１２は、ステップＳ６ｘにおいて試験の終了条件を満たさないと判定した場合（ステップＳ６ｘでＮＯ）、ステップＳ４ｘ以降の処理を繰り返す。これにより、試験制御部１２は、ステップＳ２１ｘ又はステップＳ２ｘで開始した試験を継続する。
【０１４８】
以上の通り、本変形実施形態の構成によれば、試験者が、試験中の二次電池Ｌの状態に応じて、変更スケジュールを適切に定めることができる。
【０１４９】
尚、本変形実施形態では、ステップＳ１ｘにおいて、条件情報を受け付けていたが、ステップＳ３１の後に、受付部１１が条件情報を受け付けるようにしてもよい。これに合わせて、ステップＳ３１の後、受付部１１が条件情報を受け付けていない間は、ステップＳ６ｘを行い、受付部１１が条件情報を受け付けると、ステップＳ４ｘを行うようにしてもよい。この場合、試験者が、試験中の二次電池Ｌの状態に応じて、試験スケジュールを変更するときに二次電池Ｌの状態が満たすべき条件を適切に定めることができる。
【０１５０】
（５）上記各実施形態及び上記各変形実施形態では、変更条件、停止条件及び再開条件が、形状センサー６１によって検出される二次電池Ｌの形状変化を示す値Ｔだけを用いて定められている例について説明した。しかし、変更条件、停止条件及び再開条件は、検出部６０が検出可能な二次電池Ｌの状態を示す値を一以上用いて定められていればよい。具体的には、形状センサー６１によって検出される二次電池Ｌの形状変化を示す値Ｔ、ロードセル６２によって検出される二次電池Ｌの内部圧力を示す値Ｐ及び温度センサー６３によって検出される二次電池Ｌの表面温度を示す値Ｚのうち、一以上の値を用いて、変更条件、停止条件及び再開条件を定めてもよい。
【０１５１】
（６）ステップＳ３１（図３、図７、図８）において、二次電池Ｌの状態を記憶する処理を開始しないように簡素化してもよい。同様に、ステップＳ３１（図３、図７、図８）において、二次電池Ｌの状態を表示する処理を開始しないように簡素化してもよい。
【０１５２】
（７）第一変更条件、第二変更条件、停止条件及び再開条件のうちの一以上を予め定めておき、当該一以上の条件を示す条件情報を、試験実行指示テーブルＴＢ１に予め記憶してもよい。これにより、試験者が前記一以上の条件を示す条件情報を入力するのに要する手間を省くようにしてもよい。
【符号の説明】
【０１５３】
１  充放電試験装置
１１  受付部
１２  試験制御部（変更部）
４０  記憶部
５０  電源部（試験実施部）
６０  検出部
６１  形状センサー
６２  ロードセル
６３  温度センサー
Ｌ  二次電池（電池）
【図１】
2020161386.tif 000003
【図２】
2020161386.tif 000004
【図３】
2020161386.tif 000005
【図４】
2020161386.tif 000006
【図５】
2020161386.tif 000007
【図６】
2020161386.tif 000008
【図７】
2020161386.tif 000009
【図８】
2020161386.tif 000010